【事件の表示】
　特許第６１２６２５０号発明「ブロック共重合体及び粘接着剤組成物」の特許異議申立事件について、次のとおり決定する。
【結　論】
　特許第６１２６２５０号の特許請求の範囲を、訂正請求書に添付された訂正特許請求の範囲のとおり、訂正後の請求項〔１−１６〕について訂正することを認める。
　特許第６１２６２５０号の請求項１〜７、９〜１６に係る特許を取り消す。
　特許第６１２６２５０号の請求項８に係る特許についての特許異議の申立を却下する。
【理　由】
　特許権者による、特許第６１２６２５０号の特許請求の範囲についての、平成３０年４月９日に提出の訂正請求書による訂正を認める。
　そして、特許第６１２６２５０号の請求項１〜１６に係る発明は、該訂正請求書に添付された訂正特許請求の範囲の請求項１〜１６に記載された事項により特定されるとおりのものである。
　請求項１〜７、９〜１６に係る発明についての特許については、平成３０年７月３１日付けで、これらの請求項に係る特許に対する取消理由（決定の予告）を通知し、期間を指定して意見書を提出する機会を与えたが、特許権者は応答しなかった。 
　そして、上記の取消理由は妥当なものと認められるので、請求項１〜７、９〜１６に係る特許は、この取消理由によって取り消すべきものである。
 
　請求項８に係る特許は、訂正により削除された結果、特許異議申立人による特許異議の申立てについて、請求項８に係る申立ては、申立ての対象が存在しないものとなったため、特許法第１２０条の８第１項で準用する同法第１３５条の規定により却下する。
　よって、結論のとおり決定する。
【異議決定日】
平成３０年１１月１２日（２０１８．１１．１２）
【訂正の要旨】
審決（決定）の【理由】欄参照。
（５７）【特許請求の範囲】
　【請求項１】
　成分（Ａ）を２０量％以上、９０質量％以下、成分（Ｂ）を１０質量％以上、８０質量％以下含有し、
　前記成分（Ａ）が、ビニル芳香族単量体単位を主体とする重合体ブロック（Ａｒ）と、共役ジエン単量体単位を主体とする重合体ブロック（Ｄ）と、を有し、重量平均分子量が、３０，０００以上、１９０，０００以下であるブロック共重合体であり、
　前記成分（Ｂ）が、ビニル芳香族単量体単位を主体とする重合体ブロック（Ａｒ）と、共役ジエン単量体単位を主体とする重合体ブロック（Ｄ）と、を有し、重量平均分子量が、６０，０００以上、５００、０００以下であるブロック共重合体であり、
　前記成分（Ａ）及び前記成分（Ｂ）が有する前記共役ジエン単量体単位の水素添加率が、１０〜８０モル％であり、
　前記成分（Ａ）の重量平均分子量に対する前記成分（Ｂ）の重量平均分子量の比が、１．３〜１０であり、
　前記ビニル芳香族単量体単位の含有量が、成分（Ａ）及び成分（Ｂ）１００質量％に対して、５質量％以上、３５質量％未満であ
り
　
前記成分（Ｂ）が、式（Ａｒ−Ｄ）２Ｘ及び／又は（Ｄ−Ａｒ−Ｄ）２Ｘ、式（Ｄ−Ａｒ−Ｄ）３−Ｘ及び／又は（Ａｒ−Ｄ）３−Ｘ、並びに式（Ｄ−Ａｒ−Ｄ）４−Ｘ及び／又は（Ａｒ−Ｄ）４−Ｘ（式中、Ｘは、カップリング剤の残基又は重合開始剤の残基を示す。）で表されるブロック共重合体を含む、
　【請求項２】
　前記成分（Ａ）及び前記成分（Ｂ）が有する前記共役ジエン単量体単位の水素添加前のビニル結合量が、前記成分（Ａ）及び前記成分（Ｂ）が有する前記共役ジエン単量体単位の総量に対して、５モル％以上、３０モル％未満である、請求項１に記載のブロック共重合体組成物。
　【請求項３】
　
成分（Ａ）を２０量％以上、９０質量％以下、成分（Ｂ）を１０質量％以上、８０質量％以下含有し、
　
前記成分（Ａ）が、ビニル芳香族単量体単位を主体とする重合体ブロック（Ａｒ）と、共役ジエン単量体単位を主体とする重合体ブロック（Ｄ）と、を有し、重量平均分子量が、３０，０００以上、１９０，０００以下であるブロック共重合体であり、
　
前記成分（Ｂ）が、ビニル芳香族単量体単位を主体とする重合体ブロック（Ａｒ）と、共役ジエン単量体単位を主体とする重合体ブロック（Ｄ）と、を有し、重量平均分子量が、６０，０００以上、５００、０００以下であるブロック共重合体であり、
　
前記成分（Ａ）及び前記成分（Ｂ）が有する前記共役ジエン単量体単位の水素添加率が、１０〜８０モル％であり、
　
前記成分（Ａ）の重量平均分子量に対する前記成分（Ｂ）の重量平均分子量の比が、１．３〜１０であり、
　
前記ビニル芳香族単量体単位の含有量が、成分（Ａ）及び成分（Ｂ）１００質量％に対して、５質量％以上、３５質量％未満であり、
　前記成分（Ｂ）が、少なくとも２つの前記重合体ブロック（Ａｒ）と、少なくとも１つの前記重合体ブロック（Ｄ）と、
非ハロゲン系カップリング剤の残基と、有し、かつ、カップリングされた構造である
、ブ
　【請求項４】
　前記成分（Ｂ）の重量平均分子量が、１００，０００以上、５００，０００以下である、請求項１〜３のいずれか一項に記載のブロック共重合体組成物。
　【請求項５】
　前記成分（Ｂ）が、
式（
、及
非ハロゲン系
３又は４
　【請求項６】
　前記成分（Ｂ）が、式（Ｄ−Ａｒ−Ｄ）３−Ｘ、及び／又は（Ａｒ−Ｄ）３−Ｘ（式中、Ｘは、
非ハロゲン系
３又は４
　【請求項７】
　前記成分（Ｂ）が、式（Ｄ−Ａｒ−Ｄ）４−Ｘ、及び／又は（Ａｒ−Ｄ）４−Ｘ（式中、Ｘは、
非ハロゲン系
３又は４
　【請求項８】
（削除）
　【請求項９】
　前記ビニル芳香族単量体単位の含有量が、成分（Ａ）及び成分（Ｂ）１００質量％に対して、５質量％以上、３０質量％未満である、請求項１〜
７及び１６
　【請求項１０】
　前記ビニル芳香族単量体単位の含有量が、成分（Ａ）及び成分（Ｂ）１００質量％に対して、５質量％以上、２０質量％未満である、請求項１〜
７、
及び１６
　【請求項１１】
　請求項１〜
７、９、
及び１６
　粘着付与剤１〜６００質量部と、
　軟化剤０〜２００質量部と、
　を、含有する、粘接着剤組成物。
　【請求項１２】
　粘着付与剤の含有量が、５０〜４００質量部である、
　請求項１１に記載の、粘接着剤組成物。
　【請求項１３】
　ビニル芳香族系エラストマーをさらに含有する、
　請求項１１又は１２に記載の粘接着剤組成物。
　【請求項１４】
　共役ジエン系ゴムをさらに含有する、
　請求項１１〜１３のいずれか一項に記載の粘接着剤組成物。
　【請求項１５】
　天然ゴムをさらに含有する、
　請求項１１〜１４のいずれか一項に記載の粘接着剤組成物。
　【請求項１６】
　
成分（Ａ）を２０量％以上、９０質量％以下、成分（Ｂ）を１０質量％以上、８０質量％以下含有し、
　
前記成分（Ａ）が、ビニル芳香族単量体単位を主体とする重合体ブロック（Ａｒ）と、共役ジエン単量体単位を主体とする重合体ブロック（Ｄ）と、を有し、重量平均分子量が、３０，０００以上、１９０，０００以下であるブロック共重合体であり、
　
前記成分（Ｂ）が、ビニル芳香族単量体単位を主体とする重合体ブロック（Ａｒ）と、共役ジエン単量体単位を主体とする重合体ブロック（Ｄ）と、を有し、重量平均分子量が、６０，０００以上、５００、０００以下であるブロック共重合体であり、
　
前記成分（Ａ）及び前記成分（Ｂ）が有する前記共役ジエン単量体単位の水素添加率が、１０〜８０モル％であり、
　
前記成分（Ａ）の重量平均分子量に対する前記成分（Ｂ）の重量平均分子量の比が、１．３〜１０であり、
　
前記ビニル芳香族単量体単位の含有量が、成分（Ａ）及び成分（Ｂ）１００質量％に対して、５質量％以上、３５質量％未満であり
　
前記成分（Ｂ）が、式（Ｄ−Ａｒ−Ｄ）３−Ｘ、及び／又は（Ａｒ−Ｄ）３−Ｘ（式中、Ｘは、カップリング剤の残基又は重合開始剤の残基を示す。）で表される３分岐ブロック共重合体を含む、ブロック共重合体組成物。